(57)【特許請求の範囲】
【請求項１】
平面視で矩形状をなす床体に対し、前後の壁体および左右の壁体を立設することで、直方体状のワーク収納空間が形成され、また前後の壁体および左右の壁体を床体に対し着脱または折り畳み可能としたリターナブルケースにおいて、前記床体は一対のヘッダプレートメンバを備え、これらスキッドメンバ間には左右の壁体の収納空間が形成され、一方のスキッドメンバには前記壁体の収納空間を開閉し、
組立時にはワーク収納空間の底面となる蓋体が取り付けられ、前記蓋体の下端部の両側にはボルトが設けられ、
このボルトは上下方向に延びる短尺ガイド穴及び長尺ガイド穴、これら短尺ガイド穴及び長尺ガイド穴の上端部間を連結する水平ガイド穴からなるガイド穴に挿通され、
組み立て状態では、前記ボルトを短尺ガイド穴内に挿通して締め付け固定し、
折り畳み状態では、前記ボルトを長尺ガイド穴まで移動させることを特徴とするリターナブルケース。
【請求項２】
請求項１に記載のリターナブルケースにおいて、前記床体の四隅にはリターナブルケースを積み重ねる際のガイドプレートが固設され、このガイドプレートに前記前後の壁体が自立可能に支持されることを特徴とするリターナブルケース。
【発明の詳細な説明】
【０００１】
【発明の属する技術分野】
本発明は自動車や自動二輪車の部品などを収納するリターナブルケースに関する。
【０００２】
【従来の技術】
自動車の部品等を輸出する際に、効率よく船体内に積み上げるとともに部品に傷がつかないようにするため、収納ケースが用いられている。そして最近では収納ケースとして多数回使用可能なリターナブルケースが用いられている。このリターナブルケースにあっては、復路においてできるだけコンパクトに折り畳むことができるのが望ましい。
【０００３】
復路におけるコンパクト性を達成するために、特許第２５６２０３５号公報及び特許第２５８０４２３号公報に開示される収納箱（リターナブルケース）が知られている。
【０００４】
上記先行技術にて開示されるリターナブルケースを図で説明する。先ず、（ａ）に示す組立状態のリターナブルケースは、床体１００に前後の壁体１０１，１０１と左右の壁体１０２，１０２を立設して直方体となるようにし、そして、床体１００にはフォークリフトのフォークが挿入されるフォーク穴１０３が左右に形成され、これらフォーク穴１０３，１０３の間に壁体１０２，１０２を収納する空間１０４が形成されている。
【０００５】
そして、上記のリターナブルケースを折り畳むには、（ｂ）に示すように左右の壁体１０２，１０２を取り外し、次いで（ｃ）に示すようにこれらを重ねて長手方向から収納空間１０４内に挿入する。
【０００６】
【発明が解決しようとする課題】
上述したリターナブルケースを折り畳むには、壁体１０２の長さがリターナブルケースの長さと同じなので、少なくともリターナブルケースの長手方向に２倍以上のスペースが必要になる。しかしながら、リターナブルケースが空になる組立ラインの近傍にはリターナブルケースを折り畳めるようなすペースを確保するのが難しい。
【０００７】
また、従来の構造では壁体１０２，１０２を重ねて挿入する入口が小さく、素早く収納空間１０４内に挿入することができない。更に、挿入した後に壁体が収納空間１０４から飛び出しやすい。
【０００８】
【課題を解決するための手段】
上記課題を解決するため本発明に係るリターナブルケースは、平面視で矩形状をなす床体に対し、前後の壁体および左右の壁体を立設することで、直方体状のワーク収納空間が形成され、また前後の壁体および左右の壁体を床体に対し着脱または折り畳み可能としたリターナブルケースにおいて、前記床体は一対のスキッドメンバを備え、これらスキッドメンバ間には左右の壁体の収納空間が形成され、一方のスキッドメンバには前記壁体の収納空間を開閉し組立時にはワーク収納空間の底面となる蓋体が取り付けられ、前記蓋体の下端部の両側にはボルトが設けられ、このボルトは上下方向に延びる短尺ガイド穴及び長尺ガイド穴、これら短尺ガイド穴及び長尺ガイド穴の上端部間を連結する水平ガイド穴からなるガイド穴に挿通され、組み立て状態では、前記ボルトを短尺ガイド穴内に挿通して締め付け固定し、折り畳み状態では、前記ボルトを長尺ガイド穴まで移動させる構成とした。
【０００９】
リターナブルケースを折り畳むには、左右の壁体を床体から外し、この状態で蓋体を開けることで床体に開口する収納空間に前記左右の壁体を上から入れ、次いで蓋体を閉じ、更に前後の壁体を床体側に倒して重ねる。
【００１０】
前記床体の四隅にリターナブルケースを積み重ねる際のガイドプレートを固設し、このガイドプレートに前後の壁体を自立可能に支持する構成とすれば、リターナブルケースの折り畳み作業が簡単になる。
【００１１】
【発明の実施の形態】
以下に本発明の実施の形態を添付図面に基づいて説明する。図１は本発明に係るリターナブルケースの組み立て状態の斜視図、図２は本発明に係るリターナブルケースの組み立て状態の斜視図、図３は床体の平面図、図４は床体の正面図、図５は前後の壁体と床体との連結部の拡大図、図６は左右の壁体と床体との連結部の拡大図、図７は前後の壁体と左右の壁体との上端連結部の拡大図である。
【００１２】
リターナブルケースは、平面視で矩形状をなす床体１と、この床体１に対し着脱自在とされた前後の壁体２，２および左右の壁体３，３から構成され、床体１に対しを前後の壁体２，２および左右の壁体３，３立設することで、図１に示すように直方体状のワーク収納空間が形成され、また前後の壁体２，２および左右の壁体３，３を収納または回動して重ねることで、図２に示すように扁平な板状に折り畳まれる。
【００１３】
前記床体１は前後に離間した一対のヘッダプレート４，４の両端下側に左右に離間した一対のスキッドメンバ５，５の両端を上面を溶接することで矩形状枠を構成している。そして、この矩形枠の四隅となるスキッドメンバ５，５の角部にはアングル状のガイドプレート６を溶接し、またスキッドメンバ５，５の中間には振れ止めブラケット７を溶接し、ヘッダプレート４の中間位置には振れ止めパッチ８を溶接している。
【００１４】
スキッドメンバ５，５は筒状フレームとし、内部をフォークリフトのフォークが進入可能な空間５ａとし、また、スキッドメンバ５，５の両端部間を収納ガイドプレート９，９で塞ぎ、これらスキッドメンバ５，５及び収納ガイドプレート９，９で後述する壁体の収納空間Ｓを形成している。
【００１５】
また、スキッドメンバ５，５のうちの一方にはヒンジ１０を介して蓋体１１を開閉自在に取り付けている。蓋体１１は水平にした状態で先端が他方のスキッドメンバ５にかかり、この状態で壁体の収納空間Ｓは閉じられ、また、蓋体１１の先端部の両側にはロック機構１２が設けられ、このロック機構１２により水平の閉じ状態が維持される。
【００１６】
前後の壁体２，２は枠フレーム１３にパンチングプレート１４を取り付け、左右の下端部は図５に示すようにガイドプレート６に形成したガイド穴１５に当該下端部に植設したボルト１６を挿通し締め付けることで、所定位置で固定される。
即ち、ガイド穴１５は上下方向に延びる短尺ガイド穴１５ａ及び長尺ガイド穴１５ｂ、これら短尺ガイド穴１５ａ及び長尺ガイド穴１５ｂの上端部間を連結する水平ガイド穴１５ｃからなり、壁体２を床体に対して起立した状態で維持するには、ボルト１６を短尺ガイド穴１５ａ内に挿通して締め付け固定する。
【００１７】
左右の壁体３，３は枠フレーム１７に軽量プレート１８を取り付け、図６に示すように、前後の下端部には位置決め片１９が取り付けられ、この位置決め片１９を前記スキッドメンバ５とガイドプレート６間に形成したスリット２０に挿入し、更に図７に示すように、枠フレーム１７の上端に固着した連結ブラケット２１を壁体２の枠フレーム１３に差し込み、左右の壁体３，３を前後の壁体２，２に直交するように起立せしめ、この状態をロック機構２２によって維持する。
【００１８】
尚、図中２３はガイドプレートであり、このアングル状のガイドプレート２３は組み立て状態のリターナブルケースを積み重ねる際の位置決めと倒れ防止を図るものであり、壁体２の枠フレーム１３に溶接などによって固着してもよい。
【００１９】
次に、図８に基づいて組み立て状態から折り畳む手順を説明する。先ず、同図（ａ）に示すように、ロック機構２２を外して左右の壁体３，３を床体１から外す。この時、前後の壁体２はボルト１６を中心として倒れようとするが、ヘッダプレート４の中間位置に設けた振れ止めパッチ８に壁体２の下端部が当たり、手を離してもある程度しか壁体２は傾かない。
【００２０】
次いで図８（ｂ）に示すように、ロック機構１２を外して蓋体１１を開く。この蓋体１１を開くことで、壁体の収納空間Ｓが床体１上面に開口する。そこで、同図（ｃ）に示すように、左右の壁体３，３を重ねて収納空間Ｓ内に収納する。尚、収納空間Ｓ内では左右の壁体３，３の前後の端部が収納ガイドプレート９，９に係止するため、壁体３，３が収納空間Ｓから抜け落ちることはない。また、収納する際には、軽量プレート１８が下側になるようにすることが好ましい。
【００２１】
この後、図８（ｄ）に示すように、壁体２をその下端部が振れ止めパッチ８よりも高くなる位置まで持ち上げ、ボルト１６を長尺ガイド穴１５ｂまで移動させつつ前後の壁体２，２を回動せしめ、閉じた蓋体１１の上に前後の壁体２，２を重ねる。このようにして、図２に示した折り畳み状態になる。
【００２２】
尚、図示例では、前後の壁体２，２はフレームにパンチングプレートを取り付け、左右の壁体３，３はフレームに樹脂製の軽量プレートを取り付けるようにしたが、特にこれに限定されるものではなく、軽量で高強度のものであれば、特に限定されない。
【００２３】
【発明の効果】
以上に説明したように本発明によれば、リターナブルケースを折り畳む際に、左右の壁体をリターナブルケースの側方からではなく、上から床体の収納空間内に入れることができるので、折り畳みに要するスペースが従来に比べて半分以下で済む。
【００２４】
また、壁体を収納する空間の開口を大きくすることができるので、収納と取り出しがスムーズに行える。
【００２５】
また、壁体を収納した後に蓋体で閉じるため、収納空間から壁体が飛び出すおそれもない。
【図面の簡単な説明】
【図１】本発明に係るリターナブルケースの組み立て状態の斜視図
【図２】本発明に係るリターナブルケースの組み立て状態の斜視図
【図３】床体の平面図
【図４】床体の正面図
【図５】前後の壁体と床体との連結部の拡大図
【図６】左右の壁体と床体との連結部の拡大図
【図７】前後の壁体と左右の壁体との上端連結部の拡大図
【図８】組み立て状態から折り畳む手順を説明した図で、（ａ）は左右の壁体を床体から外した図、（ｂ）は蓋体を開いた図、（ｃ）は収納空間に左右の壁体を収納した図、（ｄ）は前後の壁体を倒した図
【図９】（ａ）〜（ｃ）は従来の問題点を説明した図
【符号の説明】
１…床体、２…前後の壁体、３…左右の壁体、４…ヘッダプレート、５…スキッドメンバ、６…アングル状のガイドプレート、７…振れ止めブラケット、８…振れ止めパッチ、９…収納ガイドプレート、１０…ヒンジ、１１…蓋体、１２…ロック機構、１３…枠フレーム、１４…パンチングプレート、１５，１５ａ，１５ｂ，１５ｃ…ガイド穴、１６…ボルト、１７…枠フレーム、１８…軽量プレート、１９…位置決め片、２０…スリット、２１…連結ブラケット、２２…ロック機構、２３…ガイドプレート、Ｓ…収納空間。
【図１】
0004679758.tif 000002
【図２】
0004679758.tif 000003
【図３】
0004679758.tif 000004
【図４】
0004679758.tif 000005
【図５】
0004679758.tif 000006
【図６】
0004679758.tif 000007
【図７】
0004679758.tif 000008
【図８】
0004679758.tif 000009
【図９】
0004679758.tif 000010